(57)【要約】【課題】塵芥投入箱への巻き込み事故を低減させるために、自動的に塵芥積込装置が停止する安全システムの提供すること。【解決手段】作業者に発信機を携行させ、前記発信機からの信号が一定強度以下になると塵芥積込装置を停止させる駆動制御装置を搭載するとで、塵芥投入箱内に前記発信機を装着した作業者の手等が進入した場合に、自動的に塵芥積込装置の作動を停止することができる。【選択図】図２
2005314059.tif 000002
【特許請求の範囲】
【請求項１】
運転席後方に備えられた車体枠の上に設けられた塵芥収容箱と塵芥収容箱の後部に積込装置を内蔵し塵芥投入口が設けられた塵芥投入箱とを備えた塵芥収集車の安全システムにおいて、
携行可能な発信機と、
前記発信機からの信号を受信する受信機と、
前記受信機が前記信号を受信しなくなると前記積込装置を停止させる駆動制御装置とを備えることを特徴とする塵芥収集車の安全システム。
【請求項２】
前記発信機は作業者の手及び足あるいは手又は足の先端近傍に装着可能であることを特徴とする請求項１に記載の塵芥回収車の安全システム。
【請求項３】
前記受信機は前記塵芥投入口の外側近傍に備えられることを特徴とする請求項１又は２のいずれか一項に記載の塵芥収集車の安全システム。
【発明の詳細な説明】
【技術分野】
【０００１】
本発明は、安全システムに係り、特に塵芥積込装置を設けた塵芥収集車の安全システムに関する。
【背景技術】
【０００２】
家庭用を始め産業廃棄物等の塵芥を回収する手段として、回転式や圧縮式の塵芥積込装置を用いて塵芥収集箱に積込む塵芥収集車が知られている。このような積込装置を用いた塵芥収集作業では、作業者等が塵芥積込装置に巻き込まれる等の事故も生じることから、安全対策として積込装置の緊急停止に関する発明が提案されている。
【０００３】
例えば、特許文献1では、塵芥投入口の両脇に緊急停止ボタンを設けて、不測の巻込みに体勢を選ばずに早急に対処できるようにしており、更に積込装置の駆動開始ボタンの周りを囲むように凸起状に形成された保護壁を設けて誤操作の虞を低減させ、逆に緊急停止ボタンにはボタン部を突出させ、緊急時にも咄嗟に操作できるようにしている。また、特許文献２では塵芥投入箱内の投入口近傍に光電センサーを内蔵し、作業者の体の一部が前記投入口内に進入した場合に、センサーの感知により積込装置の駆動を停止させる安全装置が提供されている。
【特許文献１】実開昭６２−１８９３０３号公報
【特許文献２】実開昭６２−１３２０１１号公報
【発明の開示】
【発明が解決しようとする課題】
【０００４】
しかしながら、緊急停止ボタンを塵芥投入口の両脇に設置しても、一旦積込装置に巻き込まれてしまうと前記ボタンを操作する余裕がない場合がある。一方光電センサーを用いた安全装置は、作業者ばかりでなく塵芥をも感知してしまい、必要以上に塵芥積込装置の駆動を停止することとなって塵芥収集作業が滞る場合もある。
【０００５】
また、このような巻き込み事故は塵芥収集の作業者の問題に止まらず第三者に及ぶ場合もある。即ち、作業者が個々の塵芥を収集するために塵芥収集車から瞬間的に距離を置くことで前記積込装置に対する注意力が散漫になる虞もある。このような場合に、駆動を続ける積込装置に近づいた第三者等が巻き込まれる虞もある。
【０００６】
更には、上述のような塵芥が投入されていない間にも前記積込装置が駆動し続けることは、積込装置の駆動エネルギが無駄になるという問題もある。
【０００７】
本発明の目的は、積込装置の駆動を作業者の動きに連動させて制御する塵芥積込装置の駆動制御装置を提供することで、安全確実な塵芥回収を可能にする塵芥回収車の安全システムを提供することにある。
【課題を解決するための手段】
【０００８】
上記課題を解決するために、請求項１に記載の発明は、運転席後方に備えられた車体枠の上に設けられた塵芥収容箱と塵芥収容箱の後部に積込装置を内蔵し塵芥投入口が設けられた塵芥投入箱とを備えた塵芥収集車の安全システムにおいて、携行可能な発信機と、前記発信機からの信号を受信する受信機と、前記受信機が前記信号を受信しなくなると前記積込装置を停止させる駆動制御装置とを備えることを特徴とする。
【０００９】
請求項１の発明によれば、前記発信機から送信される信号を前記受信機が受信できなくなると前記制御装置が前記塵芥積込装置を停止させるため、前記発信機を携行した作業者が塵芥収集車と所期の距離を置くと、受信機が発信機からの信号を受信できなくなり、制御装置が塵芥積込装置の駆動を停止させることができる。
【００１０】
請求項２に記載の発明は、請求項１に記載の発明において、前記発信機は作業者の手及び足あるいは手又は足の先端近傍に装着可能であることを特徴とする。
【００１１】
請求項２に記載の発明によれば、前記発信機が前記塵芥投入箱の積込装置の駆動範囲内に進入しやすい手や足の先端近傍に装着されることで、作業者の手や足が積込装置の駆動範囲内に侵入した際に前記受信機が信号を受信することができなくなり前記積込装置が停止される。
【００１２】
請求項３に記載の発明は、請求項１又は２のいずれか一項に記載の発明において、前記受信機は前記塵芥投入口の外側近傍に備えられることを特徴とする。
【００１３】
請求項３に記載の発明によれば、請求項１又は２のいずれか一項に記載の発明において、前記受信機は前記塵芥投入口の外側近傍に備えられるため、前記発信機からの信号を前記塵芥投入箱の外側に対して確実に受信することができ、内部からの信号に対しては受信することができなくなる。
【発明の効果】
【００１４】
このように、本発明に係る塵芥回収車の安全システムによれば、前記発信機からの信号を前記受信機が受信しなくなると、前記駆動制御装置が積込装置を停止させる構成をとり、例えば前記発信機を作業者の手や足の先端近傍に装着できるようにすると、塵芥投入箱内に手や足が進入した場合に発信機からの信号を塵芥投入箱が減衰するため受信機が信号を受信できなくなり、駆動制御装置が積込装置の駆動を停止させることができる。このように、作業者は駆動中には積込装置に接触することがなくなることから、巻き込み事故を確実に防止することができる。
【００１５】
また、信号の減衰は塵芥投入箱内部に限られるものではなく、作業者が個々の塵芥を収集するために瞬間的に塵芥収集車と距離を置くことで受信機の受信可能範囲を超える場合にも生ずる。このような場合にも積込装置は停止することから、積込装置に近づいた第三者の巻き込み事故の虞も低減することもできる。
【００１６】
又一方、作業者がその様に個々の塵芥を収集するために塵芥収集車から離れるときに積込装置の駆動が停止されることで、エネルギの節約をすることができる。
【発明を実施するための最良の形態】
【００１７】
以下、本発明に係る安全システムを適用した塵芥収集車について図を用いて説明する。なお、本実施の形態における種々の限定は本発明の範囲を限定するものではない。
【００１８】
図１は本発明に係る塵芥収集車の安全システムを適用した塵芥収集車の全体構成の要部を示した斜視図である。塵芥収集車の運転席１の後方には、車体枠２が備えられており、この車体枠２の上には、塵芥収容箱３が搭載されている。この塵芥収容箱３の後方には、後方に塵芥投入口７が形成された塵芥投入箱５がその上端部を支点として回動自在に取付けられており、塵芥収容箱３と塵芥投入箱５との間には、昇降用油圧シリンダが連結されている。そして、この昇降用油圧シリンダを伸縮動作させることにより、塵芥投入箱５を昇降動作させることができるようになっている。
【００１９】
前記塵芥投入箱５の内部には、積込装置４が設けられており、塵芥投入口７から投入された塵芥が塵芥収容箱３に積載されるようになっている。
なお、本実施の形態における積込装置４には回転板と押込板とが備えらており、油圧シリンダにより回動されるいわゆる回転式積込装置が用いられているが、圧縮式の積込装置を適用することもできる。
【００２０】
また、前記塵芥投入箱５の形成材料としては、無線の信号を減衰する必要があることから、金属が用いられている。具体的には、例えば鉄、アルミ又はこれらの合金等の金属が用いられている。
なお、本実施の形態では信号を減衰させるために塵芥投入箱５の形成材料自体選択することとしているがこの例に限定されず、塵芥投入箱５の受信機側の外側又は内側部分に銀、アルミ、鉄又はこれらの合金からなるカバー部材あるいはこれらのカバー部材にメッキ、蒸着又はスパッタリング等により銀、アルミ等の薄膜が形成されたカバー部材を設けることもできる。
【００２１】
前記塵芥投入箱５に設けられる塵芥投入口7の一方の外側面には、受信感度が調節可能である受信機８及び手動で操作可能である動力取出装置（ＰＴＯ）のスイッチ１７が設けられている。
【００２２】
作業者の両手首にはリストバンド等に取り付けられてＩＣチップ等の小型の発信機１０が装着されている。発信機１０からは信号が送信されており、この信号が受信機８に受信され駆動積込装置用油圧シリンダ制御回路２０により積込装置４の駆動が制御されるようになっている。
【００２３】
次に、本実施の形態における安全システムを制御する駆動制御装置１４について説明する。
【００２４】
図２は前記駆動制御装置１４の構成の要部を示した回路図である。駆動制御装置１４には、積込装置４の油圧シリンダ制御回路２０が設けられており、この油圧シリンダ制御回路２０、電源１５、エンジンキー１６、リレー１８ａの常開接点およびリレー１８ｂの常開接点をそれぞれ直接に接続することにより、閉回路が構成されている。また、電源１５、エンジンキー１６、ＰＴＯスイッチ１７、リレー１８ａのコイルにより、他の閉回路が構成されている。駆動制御装置１４には、受信機８が設けられており、この受信機８には、発信機１０から送られる信号が一定の強度を有する場合に閉じられるとともに、信号の強度が低下した場合に開くスイッチ１９が設けられている。このスイッチ１９、リレー１８ｂのコイルを接続してなる回路がリレー１８ｂおよび油圧シリンダ制御回路２０からなる回路と並列に設けられている。
そして、この駆動制御装置１４は、エンジンキー１６およびＰＴＯスイッチ１７が閉じられた状態で、リレー１８ａの接点が閉じられるように構成されており、受信機８が発信機１０からの信号を一定以上の強度で受信することによりスイッチ１９が閉じられてリレー１８ｂの接点が閉じられるように構成されている。この状態で、油圧シリンダ制御回路２０に電源１５からの通電が行われ、積込装置４が駆動制御されるようになっている。
【００２５】
次に本実施の形態の作用について述べる。
図２に示すように、エンジンキー１６とＰＴＯスイッチ１７と受信機８のスイッチ１９とが閉じられることで積込装置用油圧シリンダ制御回路２０に通電がなされ、積込装置４が駆動される。これにより塵芥投入口７から投入された塵芥が塵芥収容箱３に積み込まれる。
【００２６】
このとき、図３（ｂ）に示すように塵芥投入箱の外側面に設けられている前記受信機８が、作業者の手首に装着された発信機１０からの信号を受信し続ける場合に積込装置４は連続して駆動される。逆に、図３（ａ）に示すように発信機１０を積込装置４の駆動範囲内に進入させたときは、前記信号が塵芥投入箱５の側壁５ａ等により減衰されて受信機８が一定の強度の信号を受信しないことから、受信機８のスイッチ１９が開かれるのに連動してリレー１８ｂのＢ接点も開かれ、積込装置用油圧シリンダ制御回路２０の通電が停止される。これにより積込装置４の駆動が停止される。
【００２７】
なお、図４に示すように、大規模施設の塵芥搬出所等で塵芥投入口７と同程度の高さを有する搬出口から塵芥を積み込む際には、作業者が塵芥を押込むために積込装置４の駆動範囲内に足を入れて作業をする場合もある。このような場合に、足首の近傍等に前記発信機１０を装着することで、足が積込装置４の駆動範囲に進入した際に、上記と同様の作用により積込装置４の駆動を停止させることが可能となる。
【００２８】
また、前記受信機８が一定の強度の信号を受信しない場合は、スイッチ１９を開けて油圧シリンダ２０への通電を遮断し積込装置４を停止させる構成をとることから、例えば作業者が個々の塵芥を回収するために塵芥収集車と距離を置く場合には、前記信号が一定強度以下に減衰され、スイッチ１９が開けられて油圧制御装置２０に通電がなされなくなり積込装置４の駆動が停止される。
【００２９】
以上述べたように、本実施の形態における安全システムによれば、積込装置４を駆動するに際し、エンジンキー１６と、ＰＴＯスイッチ１７と、受信機８との３つのスイッチが通電状態にならないと積込装置４が駆動しない構成とすることから、誤作動が生じる虞を低減させるとともに積込装置４への巻き込み事故を確実に防止することができる。
【００３０】
また、作業者が個々の塵芥を収集するために瞬間的に塵芥収集車と距離を置くために、積込装置に対する注意力が散漫になる虞もある。このような場合であっても、受信機８の受信感度が調節可能であることから所期の受信可能範囲を予め設定することができる。即ち積込装置４に対する注意力が散漫になるような距離まで離れるときは、自動的に積込装置４の駆動は停止されることから、積込装置４に近づく第三者の巻き込み事故の虞を確実に低減することができる。
【００３１】
更には上記のように、受信可能範囲を所期の範囲に設定できることで、作業者が個々の塵芥を回収するために塵芥収集車から離れているときの積込装置４の無駄な駆動エネルギを節約することができる。
【００３２】
以上、本発明に係る安全システムを適用した塵芥収集車の最良の実施形態について説明したが、本発明は所定の条件を満たせば上記実施形態に限定されるものではない。
【００３３】
例えば、携行可能な発信機は手等の先端に装着されるものであればリストバンド状のものに限られずに、小型発信機を内蔵した指輪又は作業手袋等であってもよい。
【００３４】
更には、上述したように発信機は手のみならず足に装着する必要が生じる場合もある。このようなときには、発信機を作業者の四肢に各々装着し、それぞれの発信機の周波数を変えてそれぞれの周波数に応じた受信機同士を接続して駆動制御装置に設けて、前記受信機の全てのスイッチが閉じられないと積込装置用油圧制御回路に通電されない構成とすることも可能である。これにより、より確実な安全システムを実現することもできる。また、発信機と塵芥収集車とはペアであり、発信機は一定の周波数あるいは決まった信号を発信してペアである当該塵芥収集車以外の塵芥収集車では使用できないようにして作動をより確実にすることもできる。この場合には信号を制御器に送って当該塵芥収集車とペアの発信機からの信号であることを判断して積み込み装置を起動できるようにする。
【図面の簡単な説明】
【００３５】
【図１】本発明を適用した実施の形態の全体構成を示した斜視図である。
【図２】本発明を適用した実施の形態における駆動制御装置の概要を示した回路図である。
【図３】図３（a）は本実施形態における塵芥投入箱の停止状態を示した上面図であり、図３（b）は前記塵芥投入箱の作動状態を示した上面図である。
【図４】本発明を適用した実施の形態における一使用態様を示した斜視図である。
【符号の説明】
【００３６】
３  塵芥収容箱
４  積込装置
５  塵芥投入箱
７  塵芥投入口
８  受信機
１０  発信機
１４  駆動制御装置
１５  電源
１６  エンジンキー
１７  動力取出装置（ＰＴＯ）スイッチ
１８ａ、１８ｂ  リレー
１９  受信機スイッチ
２０  積込装置用油圧シリンダ制御回路
【図１】
2005314059.tif 000003
【図２】
2005314059.tif 000004
【図３】
2005314059.tif 000005
【図４】
2005314059.tif 000006